(57)【要約】【課題】構造が簡単で、且つ組立性が容易な、コイルスプリングが容易に外れることのないクリップ部材を有する筆記具を提供する。【解決手段】クリップ部材と筒体間に配設したコイルスプリングによって、前記クリップ部材の先端内壁部を常時、筒体の外壁面側に弾発するとともに、クリップ部材と筒体との連結部を支点とし、筒体に対し前記クリップ部材の先端内壁部を筒体から離間可能としたクリップ部材を有する筆記具であって、前記クリップ部材の底壁に筒体側に向かって延びる突部と、前記筒体の外壁にクリップ側に向かって延びる突部を形成するとともに、前記コイルスプリングの両端に座巻き部を形成し、該コイルスプリングを前記クリップ部材の突部と筒体の突部を覆うように配設する。【選択図】          図１
2006130800.tif 000002
【特許請求の範囲】
【請求項１】
クリップ部材と筒体間に配設したコイルスプリングによって、前記クリップ部材の先端内壁部を常時、筒体の外壁面側に弾発するとともに、クリップ部材と筒体との連結部を支点とし、筒体に対し前記クリップ部材の先端内壁部を筒体から離間可能としたクリップ部材を有する筆記具であって、前記クリップ部材の底壁に筒体側に向かって延びる突部と、前記筒体の外壁にクリップ側に向かって延びる突部を形成するとともに、前記コイルスプリングの両端に座巻き部を形成し、該コイルスプリングを前記クリップ部材の突部と筒体の突部を覆うように配設したことを特徴とするクリップ部材を有する筆記具。
【請求項２】
前記クリップ部材の底壁に筒体側に向かって延びる突部の高さをＭ１、前記筒体の外壁にクリップ側に向かって延びる突部の高さをＭ２、前記コイルスプリングの座巻き部の高さをＮとしたとき、Ｍ１＜Ｎ及びＭ２＜Ｎの関係を満足することを特徴とする請求項１に記載のクリップ部材を有する筆記具。
【請求項３】
前記クリップ部材の底壁に筒体側に向かって延びる突部の先端面及び／または前記筒体の外壁にクリップ側に向かって延びる突部の先端面に、クリップ部材の先端内壁部を軸筒から離間する操作によって、その後の離間操作を規制するストッパー部を突設したことを特徴とする請求項１または２に記載のクリップ部材を有する筆記具。
【発明の詳細な説明】
【技術分野】
【０００１】
本発明は、クリップ部材を有する筆記具に関し、さらに詳しくは、クリップ部材の先端内壁部を筒体外壁面側に常時弾発し、該クリップ部材の先端内壁部を筒体から離間可能なクリップ部材を有する筆記具に関する。
【背景技術】
【０００２】
従来から、クリップ部材の先端内壁部を筒体外壁面側に常時弾発し、該クリップ部材の先端内壁部を筒体から離間可能なクリップ部材を有する筆記具はよく知られている。こうしたクリップ部材を有する筆記具において、実開昭５５−１４８９９０号「筆記具のクリップ装置」や実開昭５６−１５９２８３号「筆記具のクリップ装置」に開示されているように、コイルスプリングを弾発部材として用いた構造もよく知られている。
【特許文献１】「実開昭５５−１４８９９０号公報」
【特許文献２】「実開昭５６−１５９２８３号公報」
【発明の開示】
【発明が解決しようとする課題】
【０００３】
前述したコイルスプリングを用いた筆記具において、クリップ部材の傾動によってコイルスプリングに撓みが発生するため、繰り返しの使用や衝撃等により、筒体やクリップ部材からコイルスプリングが容易に外れることがないように、また、コイルスプリングの配設位置を正確にするため、筒体及び／又は軸筒にコイルスプリングを配置する凹部を形成してある。
【０００４】
しかしながら、筒体及び／又は軸筒にコイルスプリングを配置する凹部に配置するだけでは、クリップ部材の後端部を押圧することにより、クリップ部材の先端内壁部を筒体から離間する操作によってコイルスプリングに撓みが発生し、コイルスプリングが外れてしまう恐れがあった。
【０００５】
こうした問題に対して、凹部の深さを深くする方策も考えられるが、クリップ部材及び筒体の肉厚を厚くする必要があるため、コストの上昇やデザインの幅が狭くなってしまう。また、前記従来技術のように筒体内までコイルスプリングを挿入する方法も考えられるが、構造が複雑になり、組立性も煩雑になるとともに、コイルスプリングを挿入する空間を設ける必要がある等の問題があった。
【０００６】
本発明の目的は、構造が簡単で、且つ組立性が容易な、コイルスプリングが容易に外れることのないクリップ部材を有する筆記具を提供することである。
【課題を解決するための手段】
【０００７】
本発明は、クリップ部材と筒体間に配設したコイルスプリングによって、前記クリップ部材の先端内壁部を常時、筒体の外壁面側に弾発するとともに、クリップ部材と筒体との連結部を支点とし、筒体に対し前記クリップ部材の先端内壁部を筒体から離間可能としたクリップ部材を有する筆記具であって、前記クリップ部材の底壁に筒体側に向かって延びる突部と、前記筒体の外壁にクリップ側に向かって延びる突部を形成するとともに、前記コイルスプリングの両端に座巻き部を形成し、該コイルスプリングを前記クリップ部材の突部と筒体の突部を覆うように配設する。
【０００８】
また、前記クリップ部材の底壁に筒体側に向かって延びる突部の高さをＭ１、前記筒体の外壁にクリップ側に向かって延びる突部の高さをＭ２、前記コイルスプリングの座巻き部の高さをＮとしたとき、Ｍ１＜Ｎ及びＭ２＜Ｎの関係を満足する。
【０００９】
また、前記クリップ部材の底壁に筒体側に向かって延びる突部の先端面及び／または前記筒体の外壁にクリップ側に向かって延びる突部の先端面に、クリップ部材の先端内壁部を軸筒から離間する操作によって、その後の離間操作を規制するストッパー部を突設する。
【発明の効果】
【００１０】
構造が簡単で、且つ組立性が容易な、コイルスプリングが容易に外れることのないクリップ部材を有する筆記具を提供することができた。
【発明を実施するための最良の形態】
【００１１】
次に図面を参照しながら、本発明のクリップ部材を有する筆記具の実施例を説明するが、本発明は以下の実施例に限定されるものではない。
【実施例１】
【００１２】
図１から図５に示すクリップ部材を有する筆記具１は、軸筒２の後端部の外壁に設けたクリップ部材３側に向かって延びる突部５と、クリップ部材３の内壁に設けた軸筒２側に向かって延びる突部６を覆うようにコイルスプリング４を配設することにより、クリップ部材３の先端内壁部３ａを、軸筒２の外壁面２ａ側に常時弾発して付設してある。また、クリップ部材３の後端部３ｂを押圧（図１、図２の矢印Ｆ１方向）することにより、クリップ部材３と軸筒２との連結部Ｒ１を支点とし、クリップ部材３の先端内壁部３ａを軸筒２の外壁面２ａから離間可能にしてある。
【００１３】
クリップ部材３と軸筒２との連結部Ｒ１は、略コ字状に形成したクリップ部材３の両側壁面３ｃに係合孔９を形成し、軸筒２から延出した支柱８にクリップ部材３の係合孔９に対向する係合突部８を形成し、この係合突部８を係合孔９に係合して連結した構造である。クリップ部材３は略コ字状に形成することによって、コイルスプリング４のクリップ部材３の側壁面３ｃ側の撓みを防止できるので好ましい。また、クリップ部材３の先端内壁部３ａを軸筒２から離間する操作によって、クリップ部材３の側壁３ｃの底面３ｄが軸筒２の外壁２ａに当接し、その後の離間操作を規制する。
【００１４】
本発明では、コイルスプリング４を突部５、６に覆うように配設してあるが、クリップ部材２の他の部分及び軸筒２の肉厚を厚くする必要がないため、コストの上昇を極力抑えることができ、デザインの幅を拡げることができる。また、弾発部材としてコイルスプリング４を用いるため、両端を同形とすることが容易であり、組立作業も安易であるとともに、クリップ部材３の先端内壁部３ａを軸筒２の外壁面２ａから離間する作動を繰り返してコイルスプリング４を圧縮してもコイルスプリング４は変形しにくいためクリップ部材３の先端内壁部３ａの軸筒２の外壁面２ａ側への弾発力に変化がない。
【００１５】
また、本発明のクリップ部材を有する筆記具は、軸筒２とクリップ部材３の間にコイルスプリング４を配設する構造であるため、軸筒２内にコイルスプリング４を配設する従来の構造に比べ組立性が容易であるとともに、無駄な空間を必要としないので、図示はしていないが、軸筒２内に繰り出し機構を有する筆記具に特に効果的である。
【００１６】
コイルスプリング４には、両端に座巻き部４ａを形成してあるので、クリップ部材３の後端部３ｂを押圧（図１の矢印Ｆ方向）することにより、クリップ部材３の先端内壁部３ａを軸筒２から離間することによってコイルスプリング４に撓みが発生しても、両端の座巻き部４ａは変形しにくいため、突部５、６から容易に外れることはない。
【００１７】
また、軸筒２の突部５の高さをＭ１、クリップ部材３の突部６の高さＭ２、コイルスプリング４の座巻き部４ａの高さをＮ１、Ｎ２（Ｎ１＝Ｎ２）としたとき、Ｍ１＜Ｎ１及びＭ２＜Ｎ２の関係を満足することによって、変形しにくい座巻き部４ａの高さＮ１、Ｎ２が、突部５、６の高さＭ１、Ｍ２より長いため、コイルスプリング４の外れ防止により効果的であるとともに、コイルスプリング４の変形によってコイルスプリング４のコイル部４ｂと突部５、６が干渉しない構造となり、コイルスプリング４の弾発力やクリップ部材３の操作性に影響がないので好ましい。また、変形しにくい座巻き部４ａを突部５、６に覆うように配設するのでコイルスプリング４を配設しやすい。
【実施例２】
【００１８】
図６から図９に示すクリップ部材を有する筆記具１１は、軸筒１２の外壁１２ａにクリップ部材１３側に向かって延びる突部１５の先端面にストッパー部２０と、クリップ部材１３の底壁に軸筒１２側に向かって延びる突部１６の先端面にストッパー部２１を形成し、クリップ部材１３の先端内壁部１３ａを軸筒１２から離間する操作によって、軸筒１２の突部１５に突設したストッパー部２０に、クリップ部材１３の突部１６に突設したストッパー部２１当接し、その後の離間操作を規制した以外は実施例１と同様に、軸筒１２の後端部の外壁に設けたクリップ部材１３側に向かって延びる突部１５と、クリップ部材１３の内壁に設けた軸筒１２側に向かって延びる突部１６を覆うようにコイルスプリング４を配設することにより、クリップ部材１３の先端内壁部１３ａを、軸筒１２の外壁面１２ａ側に常時弾発して付設してある。また、クリップ部材１３の後端部１３ｂを押圧（図６、図７の矢印Ｆ２方向）することにより、クリップ部材１３と軸筒１２との連結部Ｒ２を支点とし、クリップ部材１３の先端内壁部１３ａを軸筒１２の外壁面１２ａから離間可能にしてある。
【００１９】
クリップ部材１３と軸筒１２との連結部Ｒ２も実施例１と同様に、略コ字状に形成したクリップ部材１３の両側壁面１３ｃに係合孔１９を形成し、軸筒１２から延出した支柱１８にクリップ部材１３の係合孔１９に対向する係合突部１８を形成し、この係合突部１８を係合孔１９に係合して連結した構造である。
【００２０】
軸筒１２の外壁１２ａにクリップ部材１３側に向かって延びる突部１５の先端面にストッパー部２０と、クリップ部材１３の底壁に軸筒１２側に向かって延びる突部１６の先端面にストッパー部２１を形成することにより、ストッパー部２０、２１の高さを調節することによって、クリップ部材１３の先端内壁部１３ａと軸筒１２との最大離間距離を容易に設定可能であるため、クリップ部材１３の外壁を軸筒１２に直接当接して離間操作を規制する構造に比べ、クリップ部材１３のデザインの幅を拡げることができるとともに、繰り返し使用することによって摩耗や傷が発生しても外観上に影響が出ることがないので好ましい。
【００２１】
本実施例では、便宜上、筒体として軸筒を用いているが、筒体をキャップとし、該キャップにクリップ部材を付設する構造であってもよい。また、クリップ部材と筒体との連結部は、クリップ部材の両側面に形成した係合孔と、軸筒に形成した、クリップ部材の係合孔に対向する突部を係合してあるが、クリップ部材と筒体との連結部を支点し、クリップ部材の先端内壁部を軸筒から離間可能な構造であれば特に限定されるものではなく、筒体又はクリップ部材に形成した球状の凸部と、クリップ部材又は筒体に形成したＲ状の突部に対向する凹部との係合等、適宜選択することができる。
【００２２】
クリップ部材の突部及び軸筒の突部の形状も特に限定されるものではなく、軸筒に当接した状態でコイルスプリングに干渉しない構造であれば、テーパー状やＲ状等、適宜選択することができる。また、ストッパー部の形状も特に限定されるものでなく、適宜選択することができ、実施例では、クリップ部材の突部と、軸筒の突部の両方にストッパー部を突設してあるがどちらか一方であってもよい。
【産業上の利用可能性】
【００２３】
低粘度油性インキ、剪断減粘性インキ、水性インキ等、インキの種類に限定されることなく実施でき、筆記先端部の形状や材質に特定されることなく、キャップ式、ノック式等、筆記具として広く実施可能である。
【図面の簡単な説明】
【００２４】
【図１】実施例１のクリップ部材を有する筆記具を示す一部省略した縦断面図である。
【図２】図１におけるクリップ部材の先端内壁部を軸筒から離間した状態を示す図である。
【図３】図２における外観図である。
【図４】図１におけるＡ１−Ａ１拡大断面図である。
【図５】図１におけるＢ１−Ｂ１拡大断面図である。
【図６】実施例２のクリップ部材を有する筆記具を示す一部省略した縦断面図である。
【図７】図６におけるクリップ部材の先端内壁部を軸筒から離間した状態を示す図である。
【図８】図６におけるＡ２−Ａ２拡大断面図である。
【図９】図１におけるＢ２−Ｂ２拡大断面図である。
【符号の説明】
【００２５】
１、１１  クリップ部材を有する筆記具
２、１２  軸筒
３、１３  クリップ部材
３ａ、１３ａ  先端内壁部
３ｂ、１３ｂ  後端部
４  コイルスプリング
４ａ  座巻き部
４ｂ  コイル部
５、１５  突部
６、１６  突部
７、１７  支柱
８、１８  係合突部
９、１９  係合孔
２０、２１  ストッパー部
Ｒ１、Ｒ２  連結部
Ｍ１、Ｍ２  突部の高さ
Ｎ１、Ｎ２  座巻き部の高さ
【図１】
2006130800.tif 000003
【図２】
2006130800.tif 000004
【図３】
2006130800.tif 000005
【図４】
2006130800.tif 000006
【図５】
2006130800.tif 000007
【図６】
2006130800.tif 000008
【図７】
2006130800.tif 000009
【図８】
2006130800.tif 000010
【図９】
2006130800.tif 000011